(57)【要約】  本発明は、所定のコード入力等の複雑な操作をオペレータに課すことなく、複数の集積部毎に集積させる紙幣の属性を容易に指定することができる紙幣処理装置及び該紙幣処理装置の制御方法を提供することを目的とする。  本発明に係る紙幣処理装置１００は、紙幣処理装置１００を制御する制御部３０１と、前記制御部３０１の指示に応じて紙幣を繰り出すホッパ１０１と、紙幣の属性に応じて紙幣を集積する複数の集積部１０６と、前記ホッパ１０１から繰り出された紙幣の属性を識別する識別部３０３と、オペレータからの指示を受け付ける操作部１０３と、を有し、前記制御部３０１は、前記操作部１０３を介して集積部設定モードの指示が受け付けられた場合に、前記ホッパ１０１に紙幣を繰り出させ、前記識別部３０３に該紙幣の属性を識別させ、該識別された紙幣の属性を所定の集積部１０６に集積する紙幣の属性として指定するものであることを特徴とするものである。
2008044277.tif 000002
【特許請求の範囲】
【請求項１】
紙幣処理装置を制御する制御部と、
前記制御部の指示に応じて紙幣を繰り出すホッパと、
紙幣の属性に応じて紙幣を集積する複数の集積部と、
前記ホッパから繰り出された紙幣の属性を識別する識別部と、
所定の指示を受け付ける操作部と、を有し、
前記制御部は、前記操作部を介して集積部設定モードの指示が受け付けられた場合に、前記ホッパに紙幣を繰り出させ、前記識別部に該紙幣の属性を識別させ、該識別された紙幣の属性を所定の集積部に集積する紙幣の属性として指定するものであることを特徴とする紙幣処理装置。
【請求項２】
請求項１に記載の紙幣処理装置は、さらに、
前記複数の集積部の一を選択集積部として選択する選択部を備え、
前記制御部は、前記操作部を介して集積部設定モードの指示が受け付けられた場合に、前記識別部によって識別された紙幣の属性を前記選択部によって選択された選択集積部に集積する紙幣の属性として指定するものであることを特徴とする紙幣処理装置。
【請求項３】
請求項２に記載の紙幣処理装置であって、
前記選択部は、前記複数の集積部毎に対応付けられて設けられた光学センサであって、該光学センサの光が遮光された場合に、該遮光された光学センサに対応する集積部を選択集積部として選択するものであることを特徴とする紙幣処理装置。
【請求項４】
請求項１〜３のいずれか１項に記載の紙幣処理装置は、さらに、
前記ホッパから繰り出された紙幣を排出可能なリジェクト部を備え、
前記制御部は、前記操作部を介して集積部指定モードの指示が受け付けられた場合に、前記ホッパに紙幣を繰り出させ、前記識別部に該紙幣の属性を識別させ、前記リジェクト部に該紙幣を排出させるものであることを特徴とする紙幣処理装置。
【請求項５】
請求項１〜４のいずれか１項に記載の紙幣処理装置であって、
前記紙幣の属性は、該紙幣の金種、方向、表若しくは裏、損傷レベル、又は新券若しくは旧券であることを特徴とする紙幣処理装置。
【請求項６】
集積部指定モードの指示を受け付ける受付ステップと、
ホッパから紙幣を繰り出す繰出ステップと、
前記繰り出された紙幣の属性を識別する識別ステップと、
複数の集積部の一を選択集積部として選択する選択ステップと、
前記識別された紙幣の属性を前記選択された選択集積部に集積する紙幣の属性として指定する指定ステップと、を含むことを特徴とする紙幣処理装置の制御方法。
【請求項７】
請求項６に記載の紙幣処理装置の制御方法は、さらに、
前記識別ステップの後に、前記識別された紙幣をリジェクト部から排出する排出ステップを含み、
前記選択ステップは、前記排出ステップの後に行われることを特徴とする紙幣処理装置の制御方法。
【請求項８】
請求項６又は７に記載の紙幣処理装置の制御方法であって、
前記紙幣の属性は、前記紙幣の属性は、該紙幣の金種、方向、表若しくは裏、損傷レベル、又は新券若しくは旧券であることを特徴とする紙幣処理装置の制御方法。
【発明の詳細な説明】
【技術分野】
【０００１】
本発明は、紙幣処理装置及び紙幣処理装置の制御方法に関し、特に、複数の集積部を含み、該集積部に対して集積させる紙幣の属性を容易に指定することができる紙幣処理装置及び該紙幣処理装置の制御方法に関する。
【背景技術】
【０００２】
近年の紙幣処理装置では、機能が複雑化したことに伴い、各機能の設定に要する操作も複雑化し、設定操作を容易に行うことができなくなってきている。【０００３】
例えば、特開平３−６６８８号公報（以下、「特許文献１」）には、複数のスタッカを有し、各スタッカに収納すべき紙幣の金種を自由にかつ簡単に設定できるスタッカ金種設定装置が開示されている。このスタッカ金種設定装置は、電源スイッチがＯＮに設定された時、スタッカ金種設定スイッチにより入力されたコードに基づいて該当する金種を分類するものである。【０００４】
しかし、特許文献１に開示されたスタッカ金種設定装置は、スタッカ金種を設定するためにスタッカ金種設定スイッチによるコード入力が必要である。従って、コード入力の操作自体が複雑である場合には、容易に設定することができず、誤操作を誘発し易い。
【発明の開示】
【０００５】
本発明は、所定のコード入力等の複雑な操作をオペレータに課すことなく、複数の集積部毎に集積させる紙幣の属性を容易に指定することができる紙幣処理装置及び該紙幣処理装置の制御方法を提供することを目的とする。
【０００６】
本発明の第１の態様によれば、紙幣処理装置を制御する制御部と、前記制御部の指示に応じて紙幣を繰り出すホッパと、紙幣の属性に応じて紙幣を集積する複数の集積部と、前記ホッパから繰り出された紙幣の属性を識別する識別部と、所定の指示を受け付ける操作部と、を有し、前記制御部は、前記操作部を介して集積部設定モードの指示が受け付けられた場合に、前記ホッパに紙幣を繰り出させ、前記識別部に該紙幣の属性を識別させ、該識別された紙幣の属性を所定の集積部に集積する紙幣の属性として指定するものであることを特徴とする紙幣処理装置が提供される。
【０００７】
本発明の第２の態様によれば、集積部指定モードの指示を受け付ける受付ステップと、ホッパから紙幣を繰り出す繰出ステップと、前記繰り出された紙幣の属性を識別する識別ステップと、複数の集積部の一を選択集積部として選択する選択ステップと、前記識別された紙幣の属性を前記選択された選択集積部に集積する紙幣の属性として指定する指定ステップと、を含むことを特徴とする紙幣処理装置の制御方法が提供される。
【０００８】
本発明によれば、複数の集積部毎に集積させる紙幣の属性を容易に指定することができ、ひいては、オペレータの負担及び誤操作を軽減し、紙幣処理装置の処理効率を向上させることができる。
【図面の簡単な説明】
【０００９】
【図１】本発明の一実施例に係る紙幣処理装置１００の外観を示す斜視図である。
【図２】本発明の一実施例に係る紙幣処理装置１００の内部構成を示す平面図である。
【図３】本発明の一実施例に係る紙幣処理装置１００の構成を示すブロック図である。
【図４】（ａ）〜（ｅ）は、本発明の一実施例に係る集積情報３０２ｂの一例を示すデータ構造である。
【図５】本発明の一実施例に係る集積部指定モードにおける制御部３０１の処理手順の一例を示すフローチャートである。
【図６】本発明の一実施例に係る集積モードにおける制御部３０１の処理手順の一例を示すフローチャートである。
【発明を実施するための最良の形態】
【００１０】
以下に、本発明の実施の形態について図面を参照して説明する。なお、以下の実施例は、本発明の実施の一形態に過ぎず、本発明の範囲を限定するものではない。【００１１】
図１は、本発明の一実施例に係る紙幣処理装置１００の外観を示す斜視図である。【００１２】
本発明の実施例に係る紙幣処理装置１００は、ホッパ１０１、リジェクト部１０２、操作部１０３、第１の全体表示部１０４、第２の全体表示部１０５、４つの集積部１０６、４つの個別表示部１０７及びリジェクト部センサ１０８を有する。【００１３】
ホッパ１０１は、オペレータによって載置された紙幣を紙幣処理装置１００の内部に繰り出す。リジェクト部１０２は、ホッパ１０１によって繰り出された紙幣がリジェクト紙幣である場合（例えば、「偽券」である場合）に当該紙幣を排出する。また、リジェクト部１０２に設けられたリジェクト部センサ１０８は、遮光物（例えば、オペレータの手又は紙幣等）により遮光されたか否かを検知することができる。操作部１０３は、オペレータからの指示を受け付けるための入力キーを備える。第１の全体表示部１０４及び第２の全体表示部１０５は、所定のデータ（例えば、グラフィックデータ）を表示する。集積部１０６は、ホッパ１０１から繰り出された紙幣を紙幣の属性毎に集積するとともに、満杯状態になったことを検知する。個別表示部１０７は、集積部１０６毎に対応付けられて設けられ、対応する集積部１０６に集積された紙幣の数を表示する。なお、図１では、集積部１０６及び個別表示部１０７が４つの場合について図示したが、集積部１０６及び個別表示部１０７の数は４つに限られるものではない。【００１４】
本実施例では、第１の全体表示部１０４及び第２の全体表示部１０５はグラフィック式液晶ディスプレイ（ＬＣＤ）である。個別表示部１０７はキャラクタ式１行ＬＣＤである。【００１５】
図２は、本発明の一実施例に係る紙幣処理装置１００の内部構成を示す平面図である。【００１６】
本発明の実施例に係る紙幣処理装置１００は、搬送ベルト２０１、センサ２０２、分岐部材２０３、残留検知センサ２０４及び識別部２０５を内部に有する。【００１７】
搬送ベルト２０１は、ホッパ１０１から送り込まれた紙幣をリジェクト部１０２又は集積部１０６に搬送する。センサ２０２は複数箇所に設けられ、それぞれの場所においてジャムを検知する。分岐部材２０３は、リジェクト部１０２又は複数の集積部１０６のそれぞれへの分岐点に設けられ、搬送ベルト２０１の経路を分岐させる。残留検知センサ２０４は、集積部１０６毎に対応付けられて設けられ、遮光物により遮光されたか否かを検知することができる。識別部２０５は、紙幣の属性（「偽券か否か」、「正券／損券、及び損傷レベル」、「金種」、「新札／旧札」、「方向」等）を識別する。なお、図２では、残留検知センサ２０４が４つの場合について図示したが、残留検知センサ２０４は４つに限られるものではなく、集積部１０６の数に対応するものである。【００１８】
図３は、本発明の一実施例に係る紙幣処理装置１００の構成を示すブロック図である。【００１９】
本発明に係る紙幣処理装置１００を制御する制御部３０１は、操作部１０３、識別部２０５、記憶部３０２、選択部３０３、集積部１０６、リジェクト部１０２及びホッパ１０１と接続される。また、制御部３０１は、集積部１０６に集積する紙幣の属性やリジェクト部１０２に排出する紙幣の属性を指定する指定手段３０１ａを含む。また、制御部３０１は、ホッパ１０１に対して紙幣の繰出開始を指示し、リジェクト部１０２に対して紙幣の排出を指示し、識別部２０５に対して紙幣の属性の識別を指示する。また、制御部３０１は、操作部１０３を介してオペレータの指示を受け付け、識別部２０５から識別結果（紙幣の属性）を受け付け、選択部３０３から複数の集積部１０６のうち選択集積部として選択された集積部に関する情報（どの集積部１０６が選択されたか）を受け付け、集積部１０６から満杯状態（集積部フル）になったか否かに関する情報を受け付け、リジェクト部１０２からリジェクト部センサ１０８が遮光物により遮光されたか否かに関する情報を受け付け、ホッパ１０１から紙幣が載置されているか否かに関する情報を受け付ける。また、制御部３０１は、記憶部３０２との間でデータの読み出し及び書き込みを行う。【００２０】
記憶部３０２は、制御プログラム３０２ａ及び集積情報３０２ｂを記憶可能である。制御プログラム３０２ａは、紙幣処理装置１００を制御する際に制御部３０１によって実行されるプログラムである。集積情報３０２ｂは、ホッパ１０１に載置された紙幣を集積する際に読み出され、複数の集積部１０６又はリジェクト部１０２へ紙幣を搬送する際に条件となる情報である。【００２１】
本実施例では、制御部３０１はＣＰＵにより実現され、記憶部３０２はハードディスク等のコンピュータ読取可能な記憶媒体により実現され、選択部３０３は残留検知センサ２０４により実現される。【００２２】
図４（ａ）〜（ｅ）は、本発明の一実施例に係る集積情報３０２ｂの一例を示すデータ構造である。【００２３】
図４（ａ）は、紙幣の金種に応じて集積する場合の集積情報３０２ｂの一例である。図４（ａ）に示されるように、集積部１０６を特定する情報と紙幣の金種を示す情報によって構成される。図４（ａ）は、万券の集積先として集積部Ａが、五千円券の集積先として集積部Ｂが、二千円券の集積先として集積部Ｃが、千円券の集積先として集積部Ｄが指定された場合の集積情報３０２ｂの一例である。【００２４】
図４（ｂ）は、紙幣の方向（表裏及び上下）に応じて集積する場合の集積情報３０２ｂの一例である。図４（ｂ）に示されるように、集積部１０６を特定する情報と紙幣の方向を示す情報によって構成される。図４（ｂ）は、表面かつ上向きの紙幣の集積先として集積部Ａが、裏面かつ上向きの紙幣の集積先として集積部Ｂが、表面かつ下向きの紙幣の集積先として集積部Ｃが、裏面かつ下向きの紙幣の集積先として集積部Ｄが指定された場合の集積情報３０２ｂの一例である。【００２５】
図４（ｃ）は、紙幣の新旧（新券／旧券）に応じて集積する場合の集積情報３０２ｂの一例である。図４（ｃ）に示されるように、集積部１０６を特定する情報と紙幣の新券／旧券を示す情報によって構成される。図４（ｃ）は、新券の集積先として集積部Ａが、旧券の集積先として集積部Ｂが指定された場合の集積情報３０２ｂの一例である。【００２６】
図４（ｄ）は、紙幣の損傷レベルに応じて集積部１０６又はリジェクト部１０２へ搬送する場合の集積情報３０２ｂの一例である。図４（ｄ）に示されるように、集積部１０６を特定する情報、リジェクト部１０２を示す情報及び紙幣の損傷レベルを示す情報によって構成される。図４（ｄ）は、損傷レベル１（損傷レベルが最も低い紙幣）の集積先として集積部Ａが、損傷レベル２（損傷レベルが低い紙幣）の集積先として集積部Ｂが、損傷レベル３（損傷レベルが最も高い紙幣）の搬送先としてリジェクト部１０２が指定された場合の集積情報３０２ｂの一例である。【００２７】
図４（ｅ）は、紙幣の金種、新券／旧券、及び損傷レベルを組み合わせて集積する場合の集積情報３０２ｂの一例である。図４（ｅ）に示されるように、集積部１０６又はリジェクト部１０２を特定する情報と紙幣の属性（紙幣の金種、新券／旧券、及び損傷レベル）から構成される。図４（ｅ）は、万券の集積先として集積部Ａが、五千円券の集積先として集積部Ｂが、千円券の集積先として集積部Ｃが、旧券の集積先として集積部Ｄが、損券の搬送先としてリジェクト部１０２が指定された場合の集積情報３０２ｂの一例である。【００２８】
図５は、本発明の一実施例に係る集積部指定モードにおける制御部３０１の処理手順の一例を示すフローチャートである。ここでは、「金種指定モード（金種毎に集積部を指定するモード）」が指示された場合の例について説明する。なお、オペレータは、集積部指定モードの指示を行う場合は、ホッパ１０１にサンプル券を載置すると良い。「金種指定モード」の場合は、金種毎のサンプル券をホッパ１０１に載置すると良い。【００２９】
はじめに、操作部１０３を介して集積部指定モード（「金種指定モード」）の指示を受け付けると、ホッパ１０１を制御して紙幣（サンプル券）を繰り出す（Ｓ５０１）。続いて、識別部２０５を制御して、繰り出された紙幣の属性（金種）を識別する（Ｓ５０２）。続いて、リジェクト部１０２を制御して紙幣を排出する（Ｓ５０３）。続いて、選択集積部が選択されるまで待機する（Ｓ５０４−Ｎｏ）。ここで、選択集積部が選択されたか否かの判断（Ｓ５０４）は、残留検知センサ２０４又はリジェクト部センサ１０８がオペレータの手又は紙幣等の遮光物により遮光されたか否かに基づいて行われる。選択集積部が選択された場合は（Ｓ５０４−Ｙｅｓ）、選択された選択集積部に集積する紙幣の属性として、Ｓ５０２において識別された紙幣の属性（金種）を指定する（Ｓ５０５）。続いて、選択された選択集積部と指定された紙幣の属性との組み合わせから成る情報を集積情報３０２ｂ（図４（ａ）を参照）として記憶部３０２に書き込む（Ｓ５０６）。続いて、ホッパ１０１に紙幣がある場合にはＳ５０１へジャンプし（Ｓ５０７−Ｙｅｓ）、ホッパ１０１に紙幣がない場合には「集積部指定モード」を終了する（Ｓ５０７−Ｎｏ）。【００３０】
なお、図５−Ｓ５０４において、残留検知センサ２０４が遮光物により遮光された場合に選択集積部が選択されたものと判断したが、複数の集積部１０６毎に対応付けられたキーを設け、該キーが押下された場合に、該キーに対応する集積部を選択集積部として選択するようにしても良い。【００３１】
また、図５では、「金種指定モード」が指示された場合の例について説明したが、その他のモードが指示された場合も同様である。なお、その他のモードの例としては、「方向モード（紙幣の表裏・上下毎に集積部を指定するモード）」、「新旧モード（新券と旧券に分けて集積部を指定するモード）」、「損券レベルモード（損傷レベル毎に集積部を指定するモード）」及び「組み合わせモード（金種、方向、新旧を組み合わせて集積部を指定するモード）」等がある。【００３２】
図６は、本発明の一実施例に係る集積モード（ホッパ１０１に載置された紙幣を集積部１０６に仕分けて集積するモード）における制御部３０１の処理手順の一例を示すフローチャートである。【００３３】
はじめに、操作部１０３を介して集積モードの指示を受け付けると、ホッパ１０１を制御して紙幣を繰り出す（Ｓ６０１）。続いて、識別部２０５を制御して紙幣の属性を識別する（Ｓ６０２）。続いて、記憶部３０２に記憶された集積情報３０２ｂを読み出す（Ｓ６０３）。続いて、Ｓ６０２において識別された紙幣の属性と集積情報３０２ｂに基づいて、集積先となる集積部が満杯状態（集積部フル）か否かを判断する（Ｓ６０４）。該集積部が満杯状態である場合は待機状態になり（Ｓ５０４−Ｙｅｓ）、満杯状態ではない場合は（Ｓ６０４−Ｎｏ）、集積部１０６又はリジェクト部１０２に紙幣を搬送する（Ｓ６０５）。続いて、ホッパ１０１に紙幣が残っている場合はＳ６０１にジャンプし（Ｓ６０６−Ｙｅｓ）、ホッパ１０１に紙幣がない場合は集積モードを終了する（Ｓ６０６−Ｎｏ）。【００３４】
本実施例によれば、「集積部指定モード」の指示が受け付けられた場合に、識別部２０５による識別結果と選択部３０３による選択結果に基づいて集積情報３０２ｂを記憶部３０２に書き込むので、複雑な操作をオペレータに課すことなく、オペレータの負担及び誤操作を軽減することができる。【００３５】
また、サンプル券を識別した結果に基づいて集積先を指定するので、オペレータは、集積条件（どの集積部にどの紙幣を集積するか）を直感的に指定することができる。
【図１】
2008044277.tif 000003
【図２】
2008044277.tif 000004
【図３】
2008044277.tif 000005
【図４】
2008044277.tif 000006
【図５】
2008044277.tif 000007
【図６】
2008044277.tif 000008
【国際調査報告】
2008044277.tif 000009
2008044277.tif 000010